(57)【要約】【課題】駆動トランジスタの閾値電圧を補償できるようにした有機電界発光表示装置及びその駆動方法を提供する。【解決手段】本発明の有機電界発光表示装置は、走査線に走査信号を順次供給するための走査駆動部と、データ線に前記走査信号が供給される期間のうち、第１期間に初期電源を供給し、前記第１期間を除いた第２期間にデータ信号を供給するためのデータ駆動部と、前記走査線及びデータ線の交差部に位置する画素とを備え、ｉ（ｉは自然数）番目の水平ラインに位置する前記画素は、有機発光ダイオードと、第１トランジスタと、第２トランジスタと、第３トランジスタと、第４トランジスタと、第１キャパシタとを備える。【選択図】図２
2010128491.tif 000002
【特許請求の範囲】
【請求項１】
走査線に走査信号を順次供給するための走査駆動部と、
データ線に前記走査信号が供給される期間のうち、第１期間に初期電源を供給し、前記第１期間を除いた第２期間にデータ信号を供給するためのデータ駆動部と、
前記走査線及びデータ線の交差部に位置する画素と、
を備え、
ｉ（ｉは自然数）番目の水平ラインに位置する前記画素は、
カソード電極が第２電源と接続される有機発光ダイオードと、
第１電源から前記有機発光ダイオードを経由して前記第２電源に流れる電流量を制御する第１トランジスタと、
前記データ線及びｉ番目の走査線に接続され、前記ｉ番目の走査線に前記走査信号が供給される時にターンオンされる第２トランジスタと、
前記第１トランジスタのゲート電極と接続される第１ノードと前記第２トランジスタとの間に接続され、前記第２トランジスタがターンオンされる時にターンオフ状態に設定される第３トランジスタと、
前記第１ノードと基準電源との間に接続され、前記ｉ番目の走査線に走査信号が供給される時にターンオンされる第４トランジスタと、
前記第３トランジスタ及び第２トランジスタの共通ノードである第２ノードと前記有機発光ダイオードのアノード電極との間に接続される第１キャパシタと、
を備えることを特徴とする有機電界発光表示装置。
【請求項２】
前記データ信号の電圧は前記基準電源の電圧と同一であるか、高い電圧に設定されることを特徴とする請求項１に記載の有機電界発光表示装置。
【請求項３】
前記初期電源の電圧は前記データ信号の電圧よりも高い電圧に設定されることを特徴とする請求項１に記載の有機電界発光表示装置。
【請求項４】
前記第１ノードと前記第２ノードとの間に前記第３トランジスタと並列に接続される第２キャパシタを更に備えることを特徴とする請求項１に記載の有機電界発光表示装置。
【請求項５】
前記第３トランジスタは、ｉ＋１番目の走査線に走査信号が供給される時にターンオンされることを特徴とする請求項４に記載の有機電界発光表示装置。
【請求項６】
前記走査駆動部は、前記走査線と平行に位置する発光制御線に発光制御信号を順次供給することを特徴とする請求項１に記載の有機電界発光表示装置。
【請求項７】
ｉ番目の発光制御線に供給される発光制御信号は前記ｉ番目の走査線に供給される走査信号と重なり、トランジスタがターンオフされ得る電圧に設定されることを特徴とする請求項６に記載の有機電界発光表示装置。
【請求項８】
前記第３トランジスタのゲート電極は、前記ｉ番目の発光制御線と接続されることを特徴とする請求項７に記載の有機電界発光表示装置。
【請求項９】
有機発光ダイオードのアノード電極に電流を供給するための駆動トランジスタと、第１端子が前記有機発光ダイオードのアノード電極に接続される第１キャパシタを備える有機電界発光表示装置の駆動方法において、
走査信号が供給される期間に前記駆動トランジスタのゲート電極に基準電源を供給する段階と、
前記走査信号が供給される期間のうち、第１期間にデータ線を経由して前記第１キャパシタの第２端子に初期電源を供給する段階と、
前記走査信号が供給される期間のうち、第１期間を除いた第２期間に前記データ線を経由して前記第１キャパシタの第２端子にデータ信号を供給して前記有機発光ダイオードのアノード電極の電圧を前記基準電源から前記駆動トランジスタの閾値電圧を差し引いた値に設定する段階と、
前記駆動トランジスタのゲート電極と前記第１キャパシタの第２端子を電気的に接続させて前記有機発光ダイオードに電流を供給する段階と、
を含むことを特徴とする有機電界発光表示装置の駆動方法。
【請求項１０】
前記データ信号の電圧は前記基準電源の電圧と同一であるか、高い電圧に設定されることを特徴とする請求項９に記載の有機電界発光表示装置の駆動方法。
【請求項１１】
前記初期電源の電圧は前記データ信号の電圧よりも高い電圧に設定されることを特徴とする請求項９に記載の有機電界発光表示装置の駆動方法。
【発明の詳細な説明】
【技術分野】
【０００１】
本発明は有機電界発光表示装置及びその駆動方法に関し、特に駆動トランジスタの閾値電圧を補償できるようにした有機電界発光表示装置及びその駆動方法に関する。
【背景技術】
【０００２】
近年、陰極線管（Ｃａｔｈｏｄｅ Ｒａｙ Ｔｕｂｅ）の短所である重さと体積を減らすことができる各種平板表示装置が開発されている。平板表示装置としては、液晶表示装置（Ｌｉｑｕｉｄ Ｃｒｙｓｔａｌ Ｄｉｓｐｌａｙ Ｄｅｖｉｃｅ）、電界放出表示装置（Ｆｉｅｌｄ Ｅｍｉｓｓｉｏｎ Ｄｉｓｐｌａｙ Ｄｅｖｉｃｅ）、プラズマ表示パネル（Ｐｌａｓｍａ Ｄｉｓｐｌａｙ Ｐａｎｅｌ）及び有機電界発光表示装置（Ｏｒｇａｎｉｃ Ｌｉｇｈｔ Ｅｍｉｔｔｉｎｇ Ｄｉｓｐｌａｙ Ｄｅｖｉｃｅ）などが挙げられる。
【０００３】
平板表示装置のうち、有機電界発光表示装置は電子と正孔の再結合によって光を発生する有機発光ダイオードを用いて映像を表示する。このような有機電界発光表示装置は速い応答速度を有すると同時に低い消費電力で駆動されるという長所がある。
【０００４】
図１は、一般の有機電界発光表示装置の画素を示す回路図である。図１において、画素に含まれるトランジスタはＮＭＯＳに設定される。
【０００５】
図１を参照すれば、従来の有機電界発光表示装置の画素４は、有機発光ダイオードＯＬＥＤと、データ線Ｄｍ及び走査線Ｓｎに接続されて有機発光ダイオードＯＬＥＤを制御するための画素回路２とを備える。
【０００６】
有機発光ダイオードＯＬＥＤのアノード電極は画素回路２に接続され、カソード電極は第２電源ＥＬＶＳＳに接続される。このような有機発光ダイオードＯＬＥＤは、画素回路２から供給される電流に対応する輝度の光を生成する。
【０００７】
画素回路２は、走査線Ｓｎに走査信号が供給される時にデータ線Ｄｍに供給されるデータ信号に対応して有機発光ダイオードＯＬＥＤに供給される電流量を制御する。このために、画素回路２は第１電源ＥＬＶＤＤと有機発光ダイオードＯＬＥＤとの間に接続された第２トランジスタＭ２（即ち、駆動トランジスタ）と、第２トランジスタＭ２、データ線Ｄｍ及び走査線Ｓｎの間に接続された第１トランジスタＭ１と、第２トランジスタＭ２のゲート電極と第２電極との間に接続されたストレージキャパシタＣｓｔとを備える。
【０００８】
第１トランジスタＭ１のゲート電極は走査線Ｓｎに接続され、第１電極はデータ線Ｄｍに接続される。そして、第１トランジスタＭ１の第２電極はストレージキャパシタＣｓｔの一側端子に接続される。ここで、第１電極はソース電極及びドレイン電極のいずれか１つに設定され、第２電極は第１電極と異なる電極に設定される。例えば、第１電極がドレイン電極に設定されると、第２電極はソース電極に設定される。走査線Ｓｎ及びデータ線Ｄｍに接続された第１トランジスタＭ１は走査線Ｓｎから走査信号が供給される時にターンオンされてデータ線Ｄｍから供給されるデータ信号をストレージキャパシタＣｓｔに供給する。このとき、ストレージキャパシタＣｓｔはデータ信号に対応する電圧を充電する。
【０００９】
第２トランジスタＭ２のゲート電極はストレージキャパシタＣｓｔの一側端子に接続され、第１電極は第１電源ＥＬＶＤＤに接続される。そして、第２トランジスタＭ２の第２電極はストレージキャパシタＣｓｔの他側端子及び有機発光ダイオードＯＬＥＤのアノード電極に接続される。このような第２トランジスタＭ２はストレージキャパシタＣｓｔに格納された電圧値に対応して第１電源ＥＬＶＤＤから有機発光ダイオードＯＬＥＤを経由して第２電源ＥＬＶＳＳに流れる電流量を制御する。
【００１０】
ストレージキャパシタＣｓｔの一側端子は第２トランジスタＭ２のゲート電極に接続され、他側端子は有機発光ダイオードＯＬＥＤのアノード電極に接続される。このようなストレージキャパシタＣｓｔはデータ信号に対応する電圧を充電する。
【００１１】
このような従来の画素４はストレージキャパシタＣｓｔに充電された電圧に対応する電流を有機発光ダイオードＯＬＥＤに供給することで、所定輝度の画像を表示する。しかしながら、このような従来の有機電界発光表示装置は第２トランジスタＭ２の閾値電圧の偏差によって均一な輝度の映像を表示できないという問題点がある。
【００１２】
実際に、画素４毎に第２トランジスタＭ２の閾値電圧が異なるように設定される場合、画素４のそれぞれは同一のデータ信号に対応して互いに異なる輝度の光を生成するため、均一な輝度の映像を表示できない。
【先行技術文献】
【特許文献】
【００１３】
【特許文献１】大韓民国特許公開第２００７−０１１２７１４号
【特許文献２】日本特許公開第２００７−１４０３１８号
【特許文献３】日本特許公開第２００８−０２６４６７号
【発明の概要】
【発明が解決しようとする課題】
【００１４】
従って、本発明は上記事情に鑑みてなされたものであって、その目的は、駆動トランジスタの閾値電圧を補償できるようにした有機電界発光表示装置及びその駆動方法を提供することにある。
【課題を解決するための手段】
【００１５】
本発明の一側面に係る有機電界発光表示装置は、走査線に走査信号を順次供給するための走査駆動部と、データ線に前記走査信号が供給される期間のうち、第１期間に初期電源を供給し、前記第１期間を除いた第２期間にデータ信号を供給するためのデータ駆動部と、前記走査線及びデータ線の交差部に位置する画素とを備え、ｉ（ｉは自然数）番目の水平ラインに位置する前記画素はカソード電極が第２電源と接続される有機発光ダイオードと、第１電源から前記有機発光ダイオードを経由して前記第２電源に流れる電流量を制御する第１トランジスタと、前記データ線及びｉ番目の走査線に接続され、前記ｉ番目の走査線に前記走査信号が供給される時にターンオンされる第２トランジスタと、前記第１トランジスタのゲート電極と接続される第１ノードと前記第２トランジスタとの間に接続され、前記第２トランジスタがターンオンされる時にターンオフ状態に設定される第３トランジスタと、前記第１ノードと基準電源との間に接続され、前記ｉ番目の走査線に走査信号が供給される時にターンオンされる第４トランジスタと、前記第３トランジスタ及び第２トランジスタの共通ノードである第２ノードと前記有機発光ダイオードのアノード電極との間に接続される第１キャパシタとを備える。
【００１６】
好ましくは、前記データ信号の電圧は前記基準電源の電圧と同一であるか、高い電圧に設定される。前記初期電源の電圧は前記データ信号の電圧よりも高い電圧に設定される。前記第１ノードと前記第２ノードとの間に前記第３トランジスタと並列に接続される第２キャパシタを更に備える。
【００１７】
本発明の他の側面に係る有機電界発光表示装置の駆動方法は、走査信号が供給される期間に前記駆動トランジスタのゲート電極に基準電源を供給する段階と、前記走査信号が供給される期間のうち、第１期間にデータ線を経由して前記第１キャパシタの第２端子に初期電源を供給する段階と、前記走査信号が供給される期間のうち、第１期間を除いた第２期間に前記データ線を経由して前記第１キャパシタの第２端子にデータ信号を供給して前記有機発光ダイオードのアノード電極の電圧を前記基準電源から前記駆動トランジスタの閾値電圧を差し引いた値に設定する段階と、前記駆動トランジスタのゲート電極と前記第１キャパシタの第２端子を電気的に接続させて前記有機発光ダイオードに電流を供給する段階とを含む。
【発明の効果】
【００１８】
このような本発明の有機電界発光表示装置及びその駆動方法によれば、駆動トランジスタの閾値電圧と関係なく、所望の電流を有機発光ダイオードに供給でき、これにより、均一な輝度の映像を表示できるという効果を奏する。
【図面の簡単な説明】
【００１９】
【図１】一般の有機電界発光表示装置の画素を示す回路図である。
【図２】本発明の実施形態に係る有機電界発光表示装置を示す図である。
【図３】本発明の第１実施形態に係る画素を示す回路図である。
【図４】図３に示した画素の駆動方法を示す波形図である。
【図５】図３の画素におけるデータ信号の電圧変化に対応する有機発光ダイオードの電流を示す図である。
【図６】本発明の第２実施形態に係る画素を示す回路図である。
【図７】図６に示した画素の駆動方法を示す波形図である。
【図８】図３に示した画素でトランジスタをＰＭＯＳに変換した構造を示す図である。
【発明を実施するための形態】
【００２０】
以下、本発明の属する技術分野において通常の知識を有する者が本発明を容易に実施できる好適な実施形態について図２〜図８を参照して詳細に説明すれば、以下の通りである。
【００２１】
図２は、本発明の実施形態に係る有機電界発光表示装置を示す図である。
【００２２】
図２を参照すれば、本発明の実施形態に係る有機電界発光表示装置は、走査線Ｓ１〜Ｓｎ＋１及びデータ線Ｄ１〜Ｄｍと接続されるように位置する画素１４０と、走査線Ｓ１〜Ｓｎ＋１を駆動するための走査駆動部１１０と、データ線Ｄ１〜Ｄｍを駆動するためのデータ駆動部１２０と、走査駆動部１１０及びデータ駆動部１２０を制御するためのタイミング制御部１５０とを備える。
【００２３】
走査駆動部１１０は、タイミング制御部１５０から走査駆動制御信号ＳＣＳの供給を受ける。走査駆動制御信号ＳＣＳの供給を受けた走査駆動部１１０は走査信号を生成し、生成された走査信号を走査線Ｓ１〜Ｓｎ＋１に順次供給する。
【００２４】
データ駆動部１２０は、タイミング制御部１５０からデータ駆動制御信号ＤＣＳの供給を受ける。データ駆動制御信号ＤＣＳの供給を受けたデータ駆動部１２０は、データ線Ｄ１〜Ｄｍに走査信号が供給される期間のうち、第１期間に初期電源を供給し、第１期間を除いた残りの第２期間にデータ信号を供給する。ここで、初期電源の電圧はデータ信号の電圧よりも高い電圧に設定される。
【００２５】
タイミング制御部１５０は、外部から供給される同期信号に対応してデータ駆動制御信号ＤＣＳ及び走査駆動制御信号ＳＣＳを生成する。タイミング制御部１５０で生成されたデータ駆動制御信号ＤＣＳはデータ駆動部１２０に供給され、走査駆動制御信号ＳＣＳは走査駆動部１１０に供給される。そして、タイミング制御部１５０は外部から供給されるデータＤａｔａをデータ駆動部１２０に供給する。
【００２６】
画素部１３０は外部から第１電源ＥＬＶＤＤ、第２電源ＥＬＶＳＳ及び基準電源Ｖｒｅｆの供給を受けてそれぞれの画素１４０に供給する。第１電源ＥＬＶＤＤ、第２電源ＥＬＶＳＳ及び基準電源Ｖｒｅｆの供給を受けた画素１４０のそれぞれはデータ信号に対応する光を生成する。
【００２７】
ここで、第１電源ＥＬＶＤＤの電圧は第２電源ＥＬＶＳＳの電圧よりも高い電圧値に設定されて有機発光ダイオードに所定の電流を供給する。基準電源Ｖｒｅｆの電圧はデータ信号の電圧と同一であるか、低い電圧に設定される。
【００２８】
一方、ｉ（ｉは自然数）番目の水平ラインに位置する画素１４０は、ｉ番目の走査線及びｉ＋１番目の走査線と接続される。このような画素１４０は、ＮＭＯＳ型の多数のトランジスタを含み、駆動トランジスタの閾値電圧が補償される電流を有機発光ダイオードに供給する。
【００２９】
図３は、本発明の第１実施形態に係る画素を示す図である。図３では説明の便宜上、ｎ番目の水平ラインに位置し、第ｍのデータ線Ｄｍと接続された画素１４０を示す。
【００３０】
図３を参照すれば、本発明の第１実施形態に係る画素１４０は、有機発光ダイオードＯＬＥＤと、データ線Ｄｍ及び走査線Ｓｎ、Ｓｎ＋１に接続されて有機発光ダイオードＯＬＥＤを制御するための画素回路１４２とを備える。
【００３１】
有機発光ダイオードＯＬＥＤのアノード電極は画素回路１４２に接続され、カソード電極は第２電源ＥＬＶＳＳに接続される。このような有機発光ダイオードＯＬＥＤは、画素回路１４２から供給される電流に対応して所定輝度の光を生成する。
【００３２】
画素回路１４２は第ｎの走査線Ｓｎに走査信号が供給される時にデータ線Ｄｍに供給されるデータ信号及び第１トランジスタＭ１の閾値電圧に対応する電圧を充電し、第ｎ＋１の走査線Ｓｎ＋１に走査信号が供給される時に充電された電圧に対応する電流を有機発光ダイオードＯＬＥＤに供給する。このために、画素回路１４２は第１乃至第４トランジスタＭ１〜Ｍ４、第１キャパシタＣ１及び第２キャパシタＣ２を備える。
【００３３】
第１トランジスタＭ１のゲート電極は第１ノードＮ１に接続され、第１電極は第１電源ＥＬＶＤＤに接続される。そして、第１トランジスタＭ１の第２電極は、有機発光ダイオードＯＬＥＤのアノード電極（即ち、第３ノードＮ３）に接続される。
【００３４】
第２トランジスタＭ２のゲート電極は第ｎの走査線Ｓｎに接続され、第１電極はデータ線Ｄｍに接続される。そして、第２トランジスタＭ２の第２電極は第２ノードＮ２に接続される。このような第２トランジスタＭ２は走査線Ｓｎに走査信号が供給される時にターンオンされてデータ線Ｄｍと第２ノードＮ２を電気的に接続させる。
【００３５】
第３トランジスタＭ３のゲート電極は、第ｎ＋１の走査線Ｓｎ＋１に接続され、第１電極は第２ノードＮ２に接続される。そして、第３トランジスタＭ３の第２電極は第１ノードＮ１（即ち、第１トランジスタＭ１のゲート電極）に接続される。このような第３トランジスタＭ３は、第ｎ＋１の走査線Ｓｎ＋１に走査信号が供給される時にターンオンされて第１ノードＮ１と第２ノードＮ２を電気的に接続させる。このような第３トランジスタＭ３は、第２トランジスタＭ２がターンオンされる時にターンオフ状態に設定される。
【００３６】
第４トランジスタＭ４のゲート電極は第ｎの走査線Ｓｎに接続され、第１電極は基準電源Ｖｒｅｆに接続される。そして、第４トランジスタＭ４の第２電極は第１ノードＮ１に接続される。このような第４トランジスタＭ４は第ｎの走査線Ｓｎに走査信号が供給される時にターンオンされて基準電源Ｖｒｅｆの電圧を第１ノードＮ１に供給する。
【００３７】
第１キャパシタＣ１及び第２キャパシタＣ２は第１ノードＮ１と第３ノードＮ３との間に直列に接続される。そして、第１キャパシタＣ１及び２キャパシタＣ２の共通ノードは第２トランジスタＭ２及び第３トランジスタＭ３の共通ノード（即ち、第２ノードＮ２）に接続される。ここで、第２キャパシタＣ２及び第３トランジスタＭ３は第１ノードＮ１と第２ノードＮ２との間に並列に接続される。
【００３８】
図４は、図３の画素を駆動するための波形図を示す図である。
【００３９】
図３及び図４を結びつけて動作過程を詳細に説明すれば、まず第ｎの走査線Ｓｎに走査信号が供給され、走査信号が供給される期間のうち、第１期間にデータ線Ｄｍに初期電源Ｖｉｎｔが供給される。
【００４０】
走査線Ｓｎに走査信号が供給されれば、第２トランジスタＭ２及び第４トランジスタＭ４がターンオンされる。第２トランジスタＭ２がターンオンされれば、データ線Ｄｍからの初期電源Ｖｉｎｔが第２ノードＮ２に供給される。第４トランジスタＭ４がターンオンされれば、基準電源Ｖｒｅｆの電圧が第１ノードＮ１に供給される。ここで、基準電源Ｖｒｅｆの電圧は第１トランジスタＭ１がターンオフされ得る低い電圧に設定される。
【００４１】
その後、第２期間にデータ線Ｄｍにデータ信号が供給され、これにより、第２ノードＮ２はデータ信号の電圧に下降する。第２ノードＮ２の電圧が下降すれば、第１キャパシタＣ１のカップリング現象によって第３ノードＮ３の電圧も下降する。このとき、第１トランジスタＭ１がターンオンされ、第３ノードＮ３の電圧は基準電源Ｖｒｅｆの電圧から第１トランジスタＭ１の閾値電圧を差し引いた電圧まで上昇する。このために、初期電源Ｖｒｅｆの電圧はデータ信号が供給される時に第３ノードＮ３の電圧が基準電源Ｖｒｅｆの電圧よりも低い電圧に下降し得るように設定される。
【００４２】
このとき、第２キャパシタＣ２にはＶｄａｔａ−Ｖｒｅｆの電圧が充電され、第１キャパシタＣ１にはＶｄａｔａ−Ｖｒｅｆ＋Ｖｔｈの電圧が充電される。ここで、Ｖｄａｔａはデータ信号の電圧を意味する。
【００４３】
その後、第ｎの走査線Ｓｎに走査信号の供給が中断されて第２トランジスタＭ２及び第４トランジスタＭ４がターンオフされる。そして、第ｎ＋１の走査線Ｓｎ＋１に走査信号が供給されて第１ノードＮ１及び第２ノードＮ２が電気的に接続される。この場合、第１キャパシタＣ１の両端の電圧は０に設定され、第１トランジスタＭ１のゲート電極及びソース電極の間の電圧は第１キャパシタＣ１に充電された電圧に設定される。即ち、第１トランジスタＭ１の電圧は、式１のように設定される。
【００４４】
[式１]
Ｖｇｓ（Ｍ１）＝Ｖｄａｔａ−Ｖｒｅｆ＋Ｖｔｈ（Ｍ１）
【００４５】
第１トランジスタＭ１のＶｇｓの電圧によって有機発光ダイオードＯＬＥＤに流れる電流量は、式２のように設定される。
【００４６】
[式２]
Ｉｏｌｅｄ＝β（Ｖｇｓ（Ｍ１）−Ｖｔｈ（Ｍ１））２＝β｛（Ｖｄａｔａ−Ｖｒｅｆ＋Ｖｔｈ（Ｍ１））−Ｖｔｈ（Ｍ１）｝２＝β（Ｖｄａｔａ−Ｖｒｅｆ）２
【００４７】
式２を参照すれば、有機発光ダイオードＯＬＥＤに流れる電流はデータ信号の電圧Ｖｄａｔａと基準電源Ｖｒｅｆの差電圧によって決定される。ここで、基準電源Ｖｒｅｆは固定された電圧であるため、有機発光ダイオードＯＬＥＤに流れる電流はデータ信号によって決定される。
【００４８】
一方、第１電源ＥＬＶＤＤ、基準電源Ｖｒｅｆ及びデータ信号の電圧Ｖｄａｔａの電圧範囲は式３のように設定される。
【００４９】
[式３]
ＥＬＶＤＤ＞Ｖｄａｔａ≧Ｖｒｅｆ
【００５０】
基準電源Ｖｒｅｆの電圧は有機発光ダイオードＯＬＥＤに電流が流れないように低い電圧を有する固定電圧であり、Ｖｄａｔａはデータ信号の電圧で表現しようとする階調に対応して電圧が変化する。ここで、データ信号の電圧Ｖｄａｔａと基準電源Ｖｒｅｆの電圧によって階調が実現されるので、データ信号の電圧Ｖｄａｔａは基準電源Ｖｒｅｆの電圧と同一であるか、高い電圧に設定される。
【００５１】
図５は、データ信号の電圧に対応して有機発光ダイオードに流れる電流を示す図である。
【００５２】
図５を参照すれば、有機発光ダイオードＯＬＥＤに流れる電流はデータ信号の電圧Ｖｄａｔａ変化に対応して変化する。即ち、本発明ではデータ信号の電圧変化に対応して有機発光ダイオードＯＬＥＤに流れる電流量が変化し、これにより、所望の階調を表現できる。
【００５３】
図６は、本発明の第２実施形態に係る画素を示す図である。図６を説明するにあたり、図３と同じ機能をする構成については同じ図面符号を付し、詳細な説明は省略する。
【００５４】
図６を参照すれば、本発明の第２実施形態に係る画素１４０'は、発光制御線Ｅｎに接続される。ここで、発光制御線は走査線Ｓ１〜Ｓｎと平行に位置し、水平ライン毎に形成される。即ち、Ｅ１〜Ｅｎの発光制御線が走査線Ｓ１〜Ｓｎと平行に配置される。そして、ｉ（ｉは自然数）番目の発光制御線Ｅｉに供給される発光制御信号はｉ番目の走査線Ｓｉに供給される走査信号と重なるように供給される。
【００５５】
一方、走査線Ｓ１〜Ｓｎに順次供給される走査信号はトランジスタがターンオンされ得る電圧（例えば、ハイ極性）に設定され、発光制御線Ｅ１〜Ｅｎに供給される発光制御信号はトランジスタがターンオフされ得る電圧（例えば、ロー極性）に設定される。
【００５６】
画素回路１４２'に含まれている第３トランジスタＭ３'のゲート電極は発光制御線Ｅｎに接続され、第１電極は第２ノードＮ２に接続される。そして、第３トランジスタＭ３の第２電極は第１ノードＮ１に接続される。
【００５７】
第１キャパシタＣ１'は、第３トランジスタＭ３の第１電極（即ち、第２ノードＮ２）と第３ノードＮ３との間に接続される。
【００５８】
このような本発明の第２実施形態に係る画素１４０'を図３に示す画素１４０と比較してみると、第３トランジスタＭ３'、第１キャパシタＣ１'の電気的接続が異なるように設定される。そして、図３に示す画素１４０と比較して第２キャパシタＣ２が除去される。
【００５９】
図７は、図６に示した画素の駆動方法を示す波形図である。
【００６０】
図６及び図７を結びつけて動作過程を詳細に説明すれば、まず第ｎの走査線Ｓｎに走査信号が供給され、走査信号が供給される期間のうち、第１期間にデータ線Ｄｍに初期電源Ｖｉｎｔが供給される。そして、第ｎの走査線Ｓｎに走査信号が供給される期間に第ｎの発光制御線Ｅｎに発光制御信号が供給される。
【００６１】
第ｎの発光制御線Ｅｎに発光制御信号が供給されれば、第３トランジスタＭ３'がターンオフされる。走査線Ｓｎに走査信号が供給されれば、第２トランジスタＭ２及び第４トランジスタＭ４がターンオンされる。第２トランジスタＭ２がターンオンされれば、データ線Ｄｍからの初期電源Ｖｉｎｔが第２ノードＮ２に供給される。第４トランジスタＭ４がターンオンされれば、基準電源Ｖｒｅｆの電圧が第１ノードＮ１に供給される。
【００６２】
その後、第２期間にデータ線Ｄｍにデータ信号が供給され、これにより、第２ノードＮ２はデータ信号の電圧Ｖｄａｔａに下降する。第２ノードＮ２の電圧が下降すれば、第１キャパシタＣ１'のカップリング現象によって第３ノードＮ３の電圧も下降する。このとき、第１トランジスタＭ１がターンオンされ、第３ノードＮ３の電圧は基準電源Ｖｒｅｆの電圧から第１トランジスタＭ１の閾値電圧を差し引いた電圧まで上昇する。このとき、第１キャパシタＣ１'には式１のような電圧が充電される。
【００６３】
その後、第ｎの走査線Ｓｎに走査信号の供給が中断されて第２トランジスタＭ２及び第４トランジスタＭ４がターンオフされる。そして、第ｎの発光制御線Ｅｎに発光制御信号の供給が中断されて第３トランジスタＭ３'がターンオンされる。第３トランジスタＭ３'がターンオンされれば、第２ノードＮ２と第１ノードＮ１が電気的に接続される。これにより、第１トランジスタＭ１は第１キャパシタＣ１'に格納された電圧に対応する電流を有機発光ダイオードＯＬＥＤに供給する。実際に、有機発光ダイオードＯＬＥＤには式２のような電流が供給される。即ち、本発明の第２実施形態に係る画素１４０'では第１トランジスタＭ１の閾値電圧と関係なく、所望の電流を有機発光ダイオードＯＬＥＤに供給できる。
【００６４】
一方、図３及び図６ではトランジスタがＮＭＯＳで形成されるものと示したが、本発明はこれに限定されない。例えば、図３に示す画素は図８のようにＰＭＯＳ型で形成されることができる。この場合、図４に示す波形の極性が反転されて供給されるだけで、動作過程は同一に設定される。
【００６５】
以上説明したように、本発明の最も好ましい実施の形態について説明したが、本発明は、上記記載に限定されるものではなく、特許請求の範囲に記載され、又は明細書に開示された発明の要旨に基づき、当業者において様々な変形や変更が可能なのはもちろんであり、斯かる変形や変更が、本発明の範囲に含まれることは言うまでもない。
【符号の説明】
【００６６】
１１０      走査駆動部
１２０      データ駆動部
１４０，１４０'      画素
１４２，１４２'      画素回路
１５０      タイミング制御部
【図１】
2010128491.tif 000003
【図２】
2010128491.tif 000004
【図３】
2010128491.tif 000005
【図４】
2010128491.tif 000006
【図５】
2010128491.tif 000007
【図６】
2010128491.tif 000008
【図７】
2010128491.tif 000009
【図８】
2010128491.tif 000010